(57)【要約】      （修正有）【課題】作業者の技量に関係なくコーキング材を充填したい複数層部位に同時に同量充填できるノズルを提供する。【解決手段】コーキング材の取替え用ノズルで、溜め部と挿入部からなり、溜め部分は、挿入部分に均等な圧が掛かるように、円柱状で、その先のコーキング材注入用先穴挿入部分のノズル形状が、コーキング材注入用先穴と同径で、長さが挿入深さと同じで、円柱状であり、コーキング材が、充填層以外に漏れる事を防ぐ形状のコーキング材充填用ノズルでノズル先端が封鎖され、円柱状の先穴挿入部分のノズルの側面に上下２段の、平行した放射状のスリットがある。【選択図】図１
0003170563.tif 000002
【実用新案登録請求の範囲】
【請求項１】
コーキング材の取替え用ノズルで、溜め部と挿入部からなり、溜め部分は、挿入部分に均等な圧が掛かるように、円柱状で、その先のコーキング材注入用先穴挿入部分のノズル形状が、コーキング材注入用先穴と同径で、長さが挿入深さと同長で、円柱状であり、コーキング材が、充填層以外に漏れる事を防ぐ形状のコーキング材充填用ノズル。
【請求項２】
ノズル先端が封鎖され、円柱状の先穴挿入部分のノズルの側面に上下２段の、平行した放射状のスリットがあり、１回のコーキング材の充填作業で上下２層に同時に同量のコーキング材を充填することが出来る請求項１記載のコーキング材充填用ノズル。
【考案の詳細な説明】
【技術分野】
【０００１】
この出願の考案は、取替え用コーキング材充填用ノズルに関するものである。さらに詳しくは、この出願の考案は、必要以外の層に漏れる事無く、充填したい２層部位に１度の充填作業で、同時に同量のコーキング材を充填することのできるコーキング材充填用ノズルに関するものである。
【背景技術】
【０００２】
太陽電池モジュールをスレート瓦屋根のような、薄い板状の屋根材を重ね張りしてあるような  屋根面に取り付ける工法として、たとえば図に示したように、既存のスレート瓦（１１）上に支持金具（１２）を取り付け、この支持金具（１２）に太陽電池モジュールを取り付ける方法が知られている。この工法では、支持金具（１２）は、スレート瓦（１１）を貫通して野地板（１３）までビス固定される。ビスが通る先穴（１４）の周辺には、ここからの雨水の浸入を防止するためにコーキング材充填処理が施される。コーキング材は、チューブ状等の容器（１５）内に入れられ、容器（１５）の出口部に設けられる先端ノズル（１６）を通って外部へ送り出されるようになっている（たとえば、特許文献１参照）。
【先行技術文献】
【特許文献】
【０００３】
【特許文献１】特開２００５−０１６００５号公報
【考案の概要】
【考案が解決しようとする課題】
【０００４】
しかしながら、従来のコーキング材用先端ノズル（１６）からのコーキング材の充填は、作業従事者の技量により、充填量にばらつきがあり、コーキング材を充填したい２層部（１７）に同量のコーキング材を充填することが難しい。コーキング材の充填量が不十分であると、野地板（１３）まで雨水が浸透し、雨漏りの原因となる。
【０００５】
この出願の考案は、このような事情に鑑みてなされたものであり、作業者の技量に関係なく充填したい２層部位にコーキング材を同時に同量充填することのできるコーキング材充填用ノズルを提供することを解決すべき課題としている。
【課題を解決するための手段】
【０００６】
この出願の考案は、上記の課題を解決するものとして、取り替え用先端ノズルの形状を改良し、作業者の技量に関係無く、コーキング材を２層同時に同量充填することができる事を特徴とするコーキング材充填用ノズルを提供する。
【０００７】
この考案は、コーキング材の取替え用ノズルで、溜め部と挿入部からなり、溜め部分は、挿入部分に均等な圧が掛かるように、円柱状で、その先のコーキング材注入用先穴挿入部分のノズル形状が、コーキング材注入用先穴と同径で、長さが挿入深さと同長で、円柱状であり、コーキング材が、充填層以外に漏れる事を防ぐ形状のコーキング材充填用ノズルで、ノズル先端が封鎖され、円柱状の先穴挿入部分のノズルの側面に上下２段の平行した放射状のスリットがあり、１回のコーキング材の充填作業で上下２層に同時に同量のコーキング材を充填することが出来るコーキング材充填用ノズルである。
【考案の効果】
【０００８】
以上詳しく説明したとおり、この出願の考案によって、充填したい複数層部位に作業者の技量に関係なくコーキング材を確実に充填することが可能となる。
【図面の簡単な説明】
【０００９】
【図１】この出願の考案のコーキング材充填用ノズルの一実施形態を示した図である。
【図２】この出願の考案のコーキング材充填用ノズルの一実施形態を示した図である。
【図３】この出願の考案のコーキング材充填用ノズルを用いてコーキング材を充填する場合の一工程を示した図である。
【図４】太陽電池モジュールを屋根面に取り付ける際のコーキング処理について示した図である。
【考案を実施するための形態】
【００１０】
図１は、この出願の考案のコーキング材充填用ノズルの一実施形態を示した図である。
【００１１】
たとえばこの図１に示したように、この出願の考案のコーキング材充填用ノズルは、コーキング材の入った容器（５）に接続する部分（３）とその先の溜め部（２）それからコーキング材を充填するノズル部分（１）からなり、溜め部（２）は、円柱状で先端ノズル部分（１）に、均等に圧が掛かるようになっており、充填用の先端ノズル（１）は、挿入用の先穴（１４）と同径、同深さとなっており、コーキング材が充填層以外に漏れ出す事を防ぎ、効果的に充填層に挿入されるようになっている。また、先端ノズル（１）の先は平らで封鎖されており、その手前側面には、最下層の空間と同じ幅の放射状のスリット（６）が最先端部と平行に設けてあり、その手前には、スレート瓦の厚み分の間隔を空けて先端部と同じ幅の放射状のスリット（６）が平行に設けてある。  
この事により、コーキング材容器を押圧により減容した圧力が先端ノズルに掛かると、２層の放射状のスリット（６）よりコーキング材が同時に同量放射状に送り出され、作業者の技量に関係なく、挿入されるべき最下層（６）と、上層（６）部分にコーキング材が溢れることなく充填される。この事により、効果的に充填作業が行われ、尚且つ無駄な材料を消費せずにすむ。
【００１２】
この出願の考案のコーキング材充填用ノズルを用いてコーキング材の充填を行う際には、図１に示したコーキング材充填ノズルを例にとって説明すると、接続部（３）をコーキング材が入った容器（５）の出口部（４）に取り付け、図に示したように、コーキング材を溜め部（２）から先端のノズル部（１）まで注入する。この状態において、図に示したように、スレート瓦（１１）に穿孔した先穴（１４）にノズル部（１）を垂直に挿入する。そして、コーキング材充填用器具に押圧を掛け、溜め部（２）に押圧が掛かると、図に示したように、コーキング材がノズル部（１）を通じて外部に送り出され、最下層（６）及び上層部（６）の穴の周辺に充填される。コーキング材の容量は、コーキング材充填器具の充填容量の調整によって成される。このように、この出願の発明のコーキング材充填用ノズルは、充填したい部位にコーキング材を作業者の技量に関係なく、確実に充填することを可能にする。コーキング材をばらつきなく、無駄なく確実に充填したい部位に充填することができる。
【００１３】
以上は、図１に示したコーキング材充填用ノズルについて、図４に示した太陽電池を屋根面への取り付ける工法において説明したが、特にこの場合に限られることはなく、この出願の発明のコーキング材の充填用ノズルは、充填する穴径と深さに合わせてノズルの径を変え、長さも変え、放射状のスリットを、挿入層の高さに合わせて複数設ければ、複数層コーキング処理が行われる適宜な部位に採用可能である。
【００１４】
この出願の考案は、以上の実施形態によって限定されるものではない。ノズル部、溜め部及び取付け部の構造、コーキング処理を行う部位等の細部については様々な態様が可能であることはいうまでもない。                                                                                                                                                              
【符号の説明】
【００１５】
１ ノズル部
２ 溜め部
３ 取付部
４ 出口部
５  容器
６  スリット
１１ スレート瓦
１２ 支持金具
１３ 野地板
１４ 先穴
１５ コーキング材
１６ 従来のノズル
１７ コーキング材を充填したい部位
１８  コーキング材充填用ノズル
【図１】
0003170563.tif 000003
【図２】
0003170563.tif 000004
【図３】
0003170563.tif 000005
【図４】
0003170563.tif 000006